【手続補正書】
【提出日】平成15年6月26日(2003.6.26)
【手続補正１】
【補正対象書類名】明細書
【補正対象項目名】特許請求の範囲
【補正方法】変更
【補正の内容】
【特許請求の範囲】
【請求項１】
前方が開口した箱状の本体枠に、前扉取付ベース部材により回動可能に軸支される前扉を備え、
前記前扉取付ベース部材には、メダルを投入可能なメダル投入部を有するメダル投入部材を設け、
前記メダル投入部に所要数のメダルが投入されたことに基づいて、所定の遊技を実行可能な遊技機において、
前記前扉取付ベース部材は、
前記メダル投入部から投入されたメダルを前記メダル投入部材を流下させて検出可能なメダル検出装置と、
前記メダル投入部材及び前記メダル検出装置の一端を前記前扉取付ベース部材に各々取り付けるための共通取付部材と、
前記メダル検出装置の他端を前記前扉取付ベース部材に取り付けるための取付金具と、
を備え、
前記共通取付部材は、
前記メダル投入部材を取り付けるためのメダル投入部材取付部と、
前記メダル検出装置を取り付けるためのメダル検出装置取付部と、
を有し、
前記メダル投入部材は、
前記前扉取付ベース部材に設けた差込口に前面側から差し込んで、前記メダル投入部材取付部に止着部材で取り付け、
前記メダル検出装置は、
一端を前記前扉取付ベース部材の裏面側から前記メダル検出装置取付部に取り付けると共に、他端を前記取付金具に取り付ける構成としたことを特徴とする遊技機。
【請求項２】
前記メダル投入部材と前記メダル検出装置は、
それぞれ縦長の貫通穴を備え、該各貫通穴から前記メダル投入部材取付部と前記メダル検出装置取付部とが有する各取付穴に向けて、止着部材を通すことにより取り付けられていることを特徴とする請求項１記載の遊技機。
「発明の詳細な説明」
【手続補正２】
【補正対象書類名】明細書
【補正対象項目名】０００１
【補正方法】変更
【補正の内容】
【０００１】
【発明の属する技術分野】
本発明は、前方が開口した箱状の本体枠に、前扉取付ベース部材により回動可能に軸支される前扉を備え、前記前扉取付ベース部材には、メダルを投入可能なメダル投入部を有するメダル投入部材を設け、前記メダル投入部に所要数のメダルが投入されたことに基づいて、所定の遊技を実行可能な遊技機に関する。


【手続補正３】
【補正対象書類名】明細書
【補正対象項目名】０００５
【補正方法】変更
【補正の内容】
【０００５】
【課題を解決するための手段】
上記課題を解決するため、
請求項１記載の発明は、前方が開口した箱状の本体枠に、前扉取付ベース部材により回動可能に軸支される前扉を備え、
前記前扉取付ベース部材には、メダルを投入可能なメダル投入部を有するメダル投入部材を設け、
前記メダル投入部に所要数のメダルが投入されたことに基づいて、所定の遊技を実行可能な遊技機において、
前記前扉取付ベース部材は、
前記メダル投入部から投入されたメダルを前記メダル投入部材を流下させて検出可能なメダル検出装置と、
前記メダル投入部材及び前記メダル検出装置の一端を前記前扉取付ベース部材に各々取り付けるための共通取付部材と、
前記メダル検出装置の他端を前記前扉取付ベース部材に取り付けるための取付金具と、
を備え、
前記共通取付部材は、
前記メダル投入部材を取り付けるためのメダル投入部材取付部と、
前記メダル検出装置を取り付けるためのメダル検出装置取付部と、
を有し、
前記メダル投入部材は、
前記前扉取付ベース部材に設けた差込口に前面側から差し込んで、前記メダル投入部材取付部に止着部材で取り付け、
前記メダル検出装置は、
一端を前記前扉取付ベース部材の裏面側から前記メダル検出装置取付部に取り付けると共に、他端を前記取付金具に取り付ける構成とした。
【手続補正４】
【補正対象書類名】明細書
【補正対象項目名】０００６
【補正方法】変更
【補正の内容】
【０００６】
この請求項１記載の発明によれば、共通取付部材により、メダル投入部材とメダル検出装置の相対位置を位置決めすることが可能となる。
従って、メダル投入部材とメダル検出装置の取付位置を位置決めするのが容易となり、メダル投入部材とメダル検出装置の相対位置にズレが生じ難くなる。
そのため、メダル投入部材とメダル検出装置の各々に設けられる両メダル流路の接続部分にズレが生じ難くなり、該ズレによるメダル詰まりを低減できる。
【手続補正５】
【補正対象書類名】明細書
【補正対象項目名】０００７
【補正方法】変更
【補正の内容】
【０００７】
また、例えば、メダル投入部から不正な行為を目的とした不正部材が挿入されても、その不正部材が上記ズレから遊技機内に侵入するのを防止できる。
【手続補正６】
【補正対象書類名】明細書
【補正対象項目名】０００８
【補正方法】変更
【補正の内容】
【０００８】
また、メダル投入部材とメダル検出装置の取付位置を、共通取付部材の取付位置により調整することが可能となる。
従って、例えば、前扉取付ベース部材に成形誤差等があっても、共通取付部材の取付位置を調整することで、メダル投入部材とメダル検出装置の取付位置を補正することが可能となる。
【手続補正７】
【補正対象書類名】明細書
【補正対象項目名】０００９
【補正方法】変更
【補正の内容】
【０００９】
また、メダル投入部材とメダル検出装置を別々に取り付けることが可能となるので、熟練した技術がなくとも、容易にメダル投入部材とメダル検出装置の取付作業を行うことができる。
【手続補正８】
【補正対象書類名】明細書
【補正対象項目名】００１０
【補正方法】変更
【補正の内容】
【００１０】
ここで、遊技機には、例えば、パチスロ遊技機、スロットマシンなど、遊技媒体にメダルを用いる遊技機全てが含まれる。所定の遊技には、例えば、可変表示部（例えば、リール表示部など）にて図柄の可変表示を行い、該可変表示の停止結果が予め定められた特定の表示結果態様となることに関連して所定の遊技価値（例えば、所要数のメダルなど）が遊技者に対して付与される可変表示遊技などが含まれる。
【手続補正９】
【補正対象書類名】明細書
【補正対象項目名】００１１
【補正方法】変更
【補正の内容】
【００１１】
この請求項２記載の発明は、請求項１記載の遊技機において、
前記メダル投入部材と前記メダル検出装置は、
それぞれ縦長の貫通穴を備え、該各貫通穴から前記メダル投入部材取付部と前記メダル検出装置取付部とが有する各取付穴に向けて、止着部材を通すことにより取り付けられていることを特徴とする。
【手続補正１０】
【補正対象書類名】明細書
【補正対象項目名】００１２
【補正方法】削除
【補正の内容】
【手続補正１１】
【補正対象書類名】明細書
【補正対象項目名】００１３
【補正方法】変更
【補正の内容】
【００１３】
この請求項２記載の発明によれば、メダル検出装置とメダル投入部材が、それぞれ縦長の貫通穴を備え、該各貫通穴からメダル投入部材取付部と前記メダル検出装置取付部とが有する各取付穴に向けて、止着部材を通すことにより共通取付部材に取り付けられているので、メダル検出装置やメダル投入部材の取付位置を、それぞれの貫通穴の長さ方向に調整することが可能となる。
従って、例えば、前扉取付ベース部材に成形誤差等があっても、メダル投入部材とメダル検出装置の取付位置を容易に補正することができる。


【手続補正１２】
【補正対象書類名】明細書
【補正対象項目名】００１４
【補正方法】削除
【補正の内容】
【手続補正１３】
【補正対象書類名】明細書
【補正対象項目名】００１５
【補正方法】削除
【補正の内容】
【手続補正１４】
【補正対象書類名】明細書
【補正対象項目名】００３６
【補正方法】変更
【補正の内容】
【００３６】
【発明の効果】
請求項１記載の発明によれば、共通取付部材により、メダル投入部材とメダル検出装置の相対位置を位置決めすることが可能となる。従って、メダル投入部材とメダル検出装置の取付位置を位置決めするのが容易となり、メダル投入部材とメダル検出装置の相対位置にズレが生じ難くなる。そのため、メダル投入部材とメダル検出装置の各々に設けられる両メダル流路の接続部分にズレが生じ難くなり、該ズレによるメダル詰まりを低減できる。また、例えば、メダル投入部から不正な行為を目的とした不正部材が挿入されても、その不正部材が上記ズレから遊技機内に侵入するのを防止できる。
また、メダル投入部材とメダル検出装置の取付位置を、共通取付部材の取付位置により調整することが可能となる。従って、例えば、前扉取付ベース部材に成形誤差等があっても、共通取付部材の取付位置を調整することで、メダル投入部材とメダル検出装置の取付位置を補正することが可能となる。
加えて、メダル投入部材とメダル検出装置を別々に取り付けることが可能となる。従って、熟練した技術がなくとも、容易にメダル投入部材とメダル検出装置の取付作業を行うことができる。
【手続補正１５】
【補正対象書類名】明細書
【補正対象項目名】００３７
【補正方法】変更
【補正の内容】
【００３７】
請求項２記載の発明によれば、メダル検出装置やメダル投入部材の取付位置を、それぞれの貫通穴の長さ方向に調整することが可能となる。従って、例えば、前扉取付ベース部材に成形誤差等があっても、メダル投入部材とメダル検出装置の取付位置を容易に補正することができる。